(57)【要約】【課題】コピー機能以外に、ファクシミリ、プリンタの少なくとも一方の機能を備えた複合型画像形成装置において、作業者がコピー操作を行っている最中でも、第三者が胴内の排紙部に排出されたファックス受信紙あるいはプリンタ出力用紙を、互いの邪魔にならない形で回収できるようにすること。【解決手段】操作部３に臨む面を画像形成装置１００の正面として、画像形成部２の、その装置正面に対応する面にコピー出力用紙用の第１の排紙部４を設け、その装置正面に対応する面の背面側にファックス受信紙、プリンタ出力用紙用の第２の排紙部５を設けた構成とする。【選択図】図１
2007097091.tif 000002
【特許請求の範囲】
【請求項１】
原稿から画像情報を読み取り、その画像情報を画像信号に変換する画像読み取り部と、読み取った画像を現像する画像形成部とを備え、その画像形成部の上面に前記画像読み取り部が配設され、その画像読み取り部の前方に、画像形成部への操作信号入力を行う操作部が併設され、それに加えて、ファックス機能、プリンタ機能の少なくとも一方の機能を備えた複合型画像形成装置において、
前記操作部に臨む面を装置正面として、画像形成部の、その装置正面に対応する面にコピー出力用紙用の第１の排紙部を設け、その装置正面に対応する面の背面側にファックス受信紙用、プリンタ出力用紙用の第２の排紙部を設けたことを特徴とする複合型画像形成装置。
【請求項２】
前記第２の排紙部への用紙排出を知らせる表示装置または報知装置を備えることを特徴とする請求項１に記載の複合型画像形成装置。
【発明の詳細な説明】
【技術分野】
【０００１】
この発明は、画像形成装置に係り、詳しくは、コピー機能に加えて、ファクシミリ機能、プリンタ機能など、他の記録モードも備えた複合型のものの、その操作性の改良に関する。
【背景技術】
【０００２】
図３は、従来の胴内排紙型の画像形成装置１０を示す摸式斜視図である。この画像形成装置１０は、原稿から読み取った画像情報を画像信号に変換する画像読み取り部１と、読み取った画像を現像する画像形成部２とが別体で形成され、その画像形成部２の上面に画像読み取り部１が配設され、その画像形成部２の上面と画像読み取り部１の下面の間に空間を設けて、そこを、画像形成部２内で画像形成を受けた画像出力用紙が排紙される排紙部２ａとし、そこへ排紙された用紙がストックされる部分を排紙トレイ２ｂとしている。
【０００３】
また、その画像読み取り部１の図の手前側の矩形領域が、画像形成部２への操作信号を入力するための操作部３となっている。
【０００４】
このような構造の胴内排紙型の画像形成装置１０では、画像形成部２の内部でトナー画像が形成され、それが定着された画像出力用紙が排紙されてくる際、その装置がコピー機能、ファックス機能、プリンタ機能を有した複合型の画像形成装置である場合、その排紙部が一箇所であるので、そのままでは、コピー出力用紙、ファックス受信紙、プリンタ出力用紙が混在して排紙されてくることになる。
【０００５】
そこで、この排紙の混在を解消するために、下記の公知文献（特許文献１）に開示された装置においては、制御部から指令を受けた画像記録モードに応じて、トレイと排紙口との位置関係を変更して、前記用紙類の混在を阻止するようにしている。
【特許文献１】特開平９−１６０３２０号公報
【発明の開示】
【発明が解決しようとする課題】
【０００６】
しかしながら、上記特許文献１に開示された装置にあっては、コピー出力用紙の排紙とファックス受信紙、プリンタ出力用紙の排紙とが、それらの混在は阻止されているものの、操作者がコピー機能を利用してコピー作業を行っている場合に、操作者はそれら用紙の排紙部に向かって操作を行っているので、その排紙部に排紙されてくるファックス受信紙やプリンタ出力用紙を第三者が回収するには、第三者にとって、コピー作業の操作者が邪魔になる、という問題がある。
【０００７】
そこで、本発明の課題は、画像読み取り部と、読み取った画像を現像する画像形成部とを備え、その画像形成部の上面に前記画像読み取り部が配設され、その画像読み取り部の前方に、画像形成部への操作信号入力を行う操作部が併設され、それに加えて、ファックス機能、プリンタ機能の少なくとも一方の機能を備えた複合型画像形成装置において、作業者がコピー操作を行っている最中でも、第三者が胴内の排紙部に排出されたファックス受信紙あるいはプリンタ出力用紙を、互いの邪魔にならない形で回収することのできる複合型画像形成装置を提供することを目的とする。
【課題を解決するための手段】
【０００８】
上記目的を達成するため、請求項１の本発明は、上記複合型の画像形成装置として、上記操作部に臨む面を装置正面として、画像形成部の、その装置正面に対応する面にコピー出力用紙排出用の第１の排紙部を設け、その装置正面に対応する面の背面側にファックス受信紙、プリンタ出力用紙排紙用の第２の排紙部を設けた構成としたものである。
【０００９】
この構成によれば、ファックス受信紙、プリンタ出力用紙の排紙はコピー操作の操作者が向かう面の背面側に位置する。すなわち、コピー出力用紙と、ファックス受信紙、プリンタ出力用紙とが全く異なった場所から排紙される。
【００１０】
また、請求項２の本発明は、請求項１の構成において、第２の排紙部への用紙排出を知らせる表示装置または報知装置を備えることを特徴としている。この構成によれば、装置の背面側からファックス受信紙やプリンタ出力用紙が排出されると、第三者に光や音などで知らせるようになっている。
【発明の効果】
【００１１】
従って、請求項１の上記構成により、コピー操作の途中でも、そのコピー操作者の邪魔にならない形で、第三者がファックス受信紙、プリンタ出力用紙を回収することができる。
【００１２】
また、請求項２の上記構成により、第三者は、装置の背面側からファックス受信紙やプリンタ出力用紙が排出されたことを知ることができる。
【発明を実施するための最良の形態】
【００１３】
以下、本発明の実施の形態を説明する。図１は本実施形態の複合型画像形成装置１００の模式斜視図である。背景技術の項で紹介した従来の画像形成装置と同じ要素については同じ符号を付して説明を省略する。また、図２は、その内部の概略構成を示した模式断面図である。
【００１４】
図１に示すように、本実施形態の画像形成装置１００は、画像形成部２の上面に、それとは別体に形成された画像読み取り部１を擁し、その画像読み取り部１の矩形の一辺に沿って操作部３が配設されている。そして、この実施形態の装置でも、その操作部３に臨む面が装置正面となっている。
【００１５】
その装置正面に対応する画像形成部２の面にコピー出力用紙を排紙する第１の排紙部４が設けられており、その第１の排紙部４が設けられた面の背面に対し、その背面から手前に向かう途中の空間にファックス受信紙とプリンタ出力用紙を排紙する第２の排紙部５が設けられている。
【００１６】
この第２の排紙部５は胴内排紙型の排紙部となっており、図に示すように、画像形成部２の画像読み取り部１底面との境界面から下方へ所定の距離下った面が、画像形成部２の内部から排紙されてきた画像用紙が一時的にストックされる排紙トレイ６となっている。
【００１７】
このような構成になっているので、本実施形態の複合型画像形成によれば、コピー操作者はコピー出力用紙を第１の排紙部４からコピー出力用紙を回収し、ファックス受信紙、プリンタ出力用紙を回収しようとする第三者は、そのコピー操作者のコピー作業の途中でも、そのコピー操作者の邪魔にならない形で、第２の排紙部５の排紙トレイ６からファックス受信紙、あるいはプリンタ出力用紙を回収することができる。
【００１８】
このような図１に示した画像形成装置１００について、特に、画像形成部２の内部で画像形成を受けた出力用紙が、第１の排紙部４と第２の排紙部５に搬送されてゆく過程を示した、画像形成部２の内部構成について、次に、図２を参照して説明する。
【００１９】
本実施形態の画像形成装置１００はタンデム型のカラー画像形成装置である。画像形成部２におけるトナー画像作成部５０の内部には、図の右から左に向かって、マゼンタ、シアン、イエローおよびブラック用の四つの画像形成ユニット６０ａ、６０ｂ、６０ｃ、６０ｄが並列されている。その四つの画像形成ユニット６０ａ、６０ｂ、６０ｃ、６０ｄに接して、転写媒体である中間転写ベルト５２が配設されている。
【００２０】
中間転写ベルト５２は駆動ローラ５５と従動ローラ５６ａ、５６ｂ、および５６ｃとによって張架支持されており、それらに駆動されて走行する。
【００２１】
駆動ローラ５５の位置では、それに対向して二次転写ローラ５３が圧接されており、中間転写ベルト５２上に重ねられた四つの画像形成ユニット６０ａ、６０ｂ、６０ｃ、６０ｄのトナー画像が、給紙部４０から搬送されてきた用紙Ｐに転写される。トナー画像が転写された用紙Ｐは、定着部７０に搬送され、そこで、加熱ローラ７１と圧接ローラ７２との加熱・圧接作用によってトナー像が用紙Ｐに定着される。
【００２２】
定着部７０の搬送下流側には、搬送方向切替装置８０が配設されており、用紙Ｐの搬送方向を、画像形成装置１００の正面側へ向かわせる第２の方向とに、図外の制御部の指示に従って切り替えができるようになっている。前記第１の方向を採った場合、用紙Ｐ搬送路８１１、排紙ローラ８１を介して、画像形成装置１００の正面側の側面に設けられたコピー出力用紙専用の第１排紙部（外部トレイ）へ排出される。また、前記第２の方向を採った場合、用紙Ｐは、搬送路８２１、排紙ローラ８２を介して、画像形成装置１００の背面側の装置胴内に設けられたファックス受信紙、プリンタ出力紙用の第２排出部（胴内トレイ）へ排出される。
【００２３】
操作部３からコピー出力の指示が出されると、前記制御部の指示により、画像読み取り部１が読み取った原稿の画像情報に基づいてトナー画像作成部５０で画像が形成され、用紙Ｐに転写された後、用紙Ｐは定着部７０で定着される。前記制御部からの指示により、搬送方向切替装置８０が第１の方向へ切り替わり、搬送路８１１、排紙ローラ８１を介して、画像形成装置１００の正面側の側面に設けられたコピー出力用紙専用の第１排紙部（外部トレイ）へ排出される。また、ファクシミリを受信した場合や、図外のコンピュータからプリンタ出力指示を受けた場合には、受信した画像がトナー画像作成部５０で作成され、用紙Ｐに転写された後、用紙Ｐは、定着部７０で定着される。前記制御部からの指示により、搬送方向切替装置８０が第２の方向へ切り替わり、搬送路８２１、排紙ローラ８２を介して、画像形成装置１００の背面側の装置胴内に設けられたファックス受信紙、プリンタ出力用の第２排紙部（胴内トレイ）へ排出される。
【００２４】
以上のような構成により、コピー出力用紙はコピー操作を行っている操作者が向かう代１の排紙部４から回収し、ファックス受信紙、プリンタ出力用紙は、そのコピー操作の操作者が向かう面の背面側の第２の排紙部５から回収できるので、コピー操作の途中でも、そのコピー操作者の邪魔にならない形で、第三者がファックス受信紙、プリンタ出力用紙を回収することができる。
【００２５】
また、コピー出力用紙と、ファックス受信紙やプリンタ出力用紙とが混在しないのは言うまでもない。
【００２６】
また、画像形成装置１００の装置正面の操作部３には、図１に示すように、表示装置（ＬＥＤランプ）９１が設けられ、ファクシミリを受信した場合や、図外のコンピュータからプリンタ出力指示を受けた場合に光が点灯あるいは点滅して第三者に知らせるようになっている。また、操作部３の内部には、図２に示すように、報知装置（ブザー）９２が設けられており、ファクシミリを受信した場合や、図外のコンピュータからプリンタ出力指示を受けた場合に、報知音が鳴って第三者に知らせるようになっている。上記表示装置９１の光は、ファクシミリを受信した場合とプリンタ出力指示を受けた場合とで点滅周期を変更したり、光の色を変えたりしてもよい。また、報知装置９２をスピーカとして、「ファクシミリを受信しました。」、「プリンタ出力します。」などの音声で知らせるようにしてもよい。
【００２７】
以上のような上記構成により、第三者は、装置の背面側からファックス受信紙やプリンタ出力用紙が排出されたことを知ることができる。
【産業上の利用可能性】
【００２８】
この発明は、胴内排紙型、かつ、コピー機能に加えて、ファクシミリ機能、プリンタ機能の複数の記録モードを備えた複合型画像形成装置一般に広く適用可能である。
【図面の簡単な説明】
【００２９】
【図１】は、本実施形態の外観を示した模式斜視図である。
【図２】は、本実施形態の内部の概略構成を示した模式断面図である。
【図３】は、従来の胴内排紙型画像形成装置の模式斜視図である。
【符号の説明】
【００３０】
１    画像読み取り部
２    画像形成部
２ａ    排紙部
２ｂ    排紙トレイ
３    操作部
４    第１排紙部
５    第２排紙部
６    排紙トレイ
１０、１００    画像形成装置
９１    表示装置
９２    報知装置（ブザー）
Ｐ    用紙
【図１】
2007097091.tif 000003
【図２】
2007097091.tif 000004
【図３】
2007097091.tif 000005